(57)【要約】【課題】有孔ブロック列を精度良く設置でき、且つ、有孔ブロックを支持する枕部材の数量を削減し得る施工性の高い集水装置の施工方法を提供する。【解決手段】複数の枕部材１１０を設置面における有孔ブロック列ＢＬの延設方向の複数箇所に分散配置し、複数の枕部材１１０に支持させる状態で有孔ブロック列ＢＬを設置面に配置し、有孔ブロック列ＢＬの上方変位を規制する変位規制部材１２０を有孔ブロック列ＢＬの延設方向の複数箇所に分散配置し、有孔ブロック列ＢＬどうしの間の隙間に充填材を充填した後、変位規制部材１２０を撤去する集水装置の施工方法であって、枕部材１１０及び変位規制部材１２０の配置位置を、有孔ブロック列ＢＬを構成する有孔ブロック２０どうしの接続位置Ｋ又はその近傍位置に設定する。【選択図】図５
2014198964.tif 000002
【特許請求の範囲】
【請求項１】
水を流入させる流入部を上部に備え、且つ、流入水用の導水路を内部に備えた複数の有孔ブロックを導水方向に沿って接続してなる有孔ブロック列が設置面に並列状態で設置されている集水装置を構築するのに、
前記有孔ブロック列の横断方向に沿って延びる複数の枕部材を前記設置面における有孔ブロック列の延設方向の複数箇所に分散配置し、これら複数の枕部材の上面に支持させる状態で有孔ブロック列を設置面に配置するとともに、有孔ブロック列の上部に位置して有孔ブロック列の上方変位を規制する変位規制部材を有孔ブロック列の延設方向の複数箇所に分散配置し、この変位規制部材により有孔ブロック列の上方側への変位を規制した状態で有孔ブロック列どうしの間の隙間に固化性の充填材を充填し、その後、変位規制部材を撤去する集水装置の施工方法であって、
前記枕部材、及び、前記変位規制部材の配置位置を、前記有孔ブロック列を構成する前記有孔ブロックどうしの接続位置又はその近傍位置に設定する集水装置の施工方法。
【請求項２】
前記枕部材、及び、前記変位規制部材の配置位置を、前記有孔ブロックどうしの接続位置の近傍位置として、有孔ブロックの一端部の配置位置に設定する請求項１記載の集水装置の施工方法。
【請求項３】
前記有孔ブロックは、複数個を同じ向きで接続連結可能なように、一端部に受け口部が、他端部に差込み部が形成されているとともに、
前記枕部材、及び、前記変位規制部材の配置位置を、前記有孔ブロックの一端部の配置位置として、前記受け口部が形成された受け口部側端部の配置位置に設定する請求項２記載の集水装置の施工方法。
【発明の詳細な説明】
【技術分野】
【０００１】
本発明は、生活廃水・工業廃水等などの被処理水に含まれる懸濁物（被処理物）を除去し、懸濁物が除去された処理水を集水する集水装置の施工方法に関する。
【背景技術】
【０００２】
この種の集水装置は、処理水を流入させる流入部を上部に備え、且つ、流入水用の導水路を内部に備えた複数の有孔ブロックを導水方向に沿って接続してなる複数の有孔ブロック列が水処理設備の底盤等の設置面に並列状態で複数設置して構成されている。
【０００３】
このような集水装置は、一般的に以下の（ア）〜（エ）の工程を経て構築される。
（ア）有孔ブロック列の横断方向に沿って延びる複数の枕部材を設置面における有孔ブロック列の延設方向の複数箇所に分散配置する。
（イ）複数の枕部材の上面に支持させる状態で有孔ブロック列を設置面に配置する。
（ウ）有孔ブロック列の上部に位置して有孔ブロック列の上方変位を規制する変位規制部材を有孔ブロック列の延設方向の複数箇所に分散配置する。
（エ）変位規制部材により有孔ブロック列の上方側への変位を規制した状態で有孔ブロック列どうしの間の隙間（更には、水処理設備の壁面・底盤と有孔ブロック列との隙間）に固化性の充填材を充填し、その後、変位規制部材を撤去する。
【０００４】
つまり、この種の集水装置の構築は、複数の枕部材により有孔ブロックのレベル（高さ位置）を調整した上で、浮力等で有孔ブロックが浮上（上方変位の一例）するのを変位規制部材で規制しながら固化性充填材を充填して当該充填材を固化させることで、有孔ブロック列を精度良く設置する。
【０００５】
そして、上述の如く有孔ブロック列の設置精度に係る枕部材と変位規制部材の配置位置に関しては、特許文献１に示すように、有孔ブロック列を構成する各有孔ブロックの前後中間部の前後二箇所に枕部材を配置するとともに、前記変位規制部材を各有孔ブロックの前後中央部（つまり、前後二箇所の枕部材どうしの間の中央部）に配置する施工方法が知られている。
【０００６】
この従来の施工方法では、変位規制部材の配置によって有孔ブロックの前後中央位置に下向きの押圧力が作用した場合でも、有孔ブロックの下面の前後二箇所に分散配置された枕部材で当該押圧力を前後両側でバランス良く受け止めて有孔ブロックの姿勢を維持するから、変位規制部材の設置により固化性充填材の充填に伴って有孔ブロックの姿勢が変化する不都合を確実に防止できる利点がある。
【先行技術文献】
【特許文献】
【０００７】
【特許文献１】特開２００９−２２６２４６号公報
【発明の概要】
【発明が解決しようとする課題】
【０００８】
ところが、枕部材の配置作業（例えば、枕モルタルの敷設作業）は、有孔ブロックのレベルを調整するために天端レベルに高い精度が求められることから、有孔ブロック列を構成する各有孔ブロックに対して二個の枕部材を設置する上記従来の施工方法では、集水装置の施工に手間と時間がかかる重大な問題があった。
【０００９】
本発明は、上述の実情に鑑みてなされたものであって、その主たる課題は、枕部材と変位規制部材の配置位置の合理的な改良により、有孔ブロック列を精度良く設置でき、且つ、有孔ブロックを支持する枕部材の数量を削減し得る施工性の高い集水装置の施工方法を提供する点にある。
【課題を解決するための手段】
【００１０】
本発明の第１特徴構成は、水を流入させる流入部を上部に備え、且つ、流入水用の導水路を内部に備えた複数の有孔ブロックを導水方向に沿って接続してなる有孔ブロック列が設置面に並列状態で設置されている集水装置を構築するのに、
前記有孔ブロック列の横断方向に沿って延びる複数の枕部材を前記設置面における有孔ブロック列の延設方向の複数箇所に分散配置し、これら複数の枕部材の上面に支持させる状態で有孔ブロック列を設置面に配置するとともに、有孔ブロック列の上部に位置して有孔ブロック列の上方変位を規制する変位規制部材を有孔ブロック列の延設方向の複数箇所に分散配置し、この変位規制部材により有孔ブロック列の上方側への変位を規制した状態で有孔ブロック列どうしの間の隙間に固化性の充填材を充填し、その後、変位規制部材を撤去する集水装置の施工方法であって、
前記枕部材、及び、前記変位規制部材の配置位置を、前記有孔ブロック列を構成する前記有孔ブロックどうしの接続位置又はその近傍位置に設定する点にある。
【００１１】
つまり、この構成によれば、前記枕部材の配置位置を、前記有孔ブロック列を構成する前記有孔ブロックどうしの接続位置又はその近傍位置に設定するから、まずは、有孔ブロック列（換言すれば、有孔ブロックの接続体）の要所（有孔ブロックどうしの接続位置）を一個の枕部材で支持する状態で有孔ブロック列を支持することができ、その分、枕部材の数量を削減することが可能になる。
【００１２】
しかも、前記変位規制部材の配置位置を、前記枕部材の配置位置に対応する前記有孔ブロックどうしの接続位置又はその近傍位置に配置するから、たとえ変位規制部材の配置により下向きの押圧力が作用しても、その押圧力の作用点を「てこ」の力点（つまり、有孔ブロックにおける変位規制部材の配置箇所）とした場合に、「てこ」の力点と「てこ」の支点（つまり、有孔ブロックにおける枕部材の配置箇所）との距離を小さくすることができ、その結果、「てこ」の作用点（有孔ブロックどうしの接続位置、換言すれば、有孔ブロックの端部）に生じる力も低減することができる。
【００１３】
したがって、配置作業に時間と手間を要する枕部材の数量を削減することが可能であり、且つ、変位規制部材の配置により発生する下向きの押圧力によって有孔ブロックどうしの端部や有孔ブロックどうしの接続箇所に作用する力を低減し、変位規制部材の配置による下向きの押圧力で有孔ブロックが傾いて設置精度が低下したり、有孔ブロックどうしの接続箇所に破損や隙間が生じたりするのを抑止することができる。
【００１４】
本発明の第２特徴構成は、前記枕部材、及び、前記変位規制部材の配置位置を、前記有孔ブロックどうしの接続位置の近傍位置として、有孔ブロックの一端部の配置位置に設定する点にある。
【００１５】
つまり、この構成によれば、前記有孔ブロックどうしの接続位置の近傍として有孔ブロックの一端部に前記枕部材と前記変位規制部材の両方を配置するから、例えば、有孔ブロックの一端部と他端部とに枕部材と変位規制部材とを分けて配置する場合に比べ、変位規制部材の配置によって下向きの押圧力が発生したとしても、その押圧力によって有孔ブロックの端部や有孔ブロックどうしの接続箇所に作用する力を低減することができ、更に、有孔ブロック単体に作用する応力も低減することができる。
【００１６】
本発明の第３特徴構成は、前記有孔ブロックは、複数個を同じ向きで接続連結可能なように、一端部に受け口部が、他端部に差込み部が形成されているとともに、
前記枕部材、及び、前記変位規制部材の配置位置を、前記有孔ブロックの一端部の配置位置として、前記受け口部が形成された受け口部側端部の配置位置に設定する点にある。
【００１７】
つまり、例えば、前記有孔ブロックの一端部として、前記差込み部が形成された差込口側端部に前記枕部材と前記変位規制部材の両方を配置する場合では、変位規制部材の配置に伴う下向きの押圧力で差込み部が下方に押圧され、そのことで、有孔ブロックどうしの接続位置の上面部において受け口部の下面と差込み部の上面との対向面間に隙間が生じる不都合が起こり得る。
【００１８】
これに対して、有孔ブロックの一端部として、前記受け口部が形成された受け口側端部に前記枕部材と前記変位規制部材の両方を配置する上記構成であれば、変位規制部材の設置に伴う下向きの押圧力で受け口部が下方に押圧されるため、その押圧力で有孔ブロックどうしの接続位置の上面部において受け口部の下面が差込み部の上面に押し付けられる閉じ勝手の状態にすることができる。
【００１９】
したがって、有孔ブロックどうしの接続位置の上面部において受け口部の下面と差込み部の上面との対向面間に隙間が生じるのを効果的に抑止することができる。
【図面の簡単な説明】
【００２０】
【図１】水処理設備の構成図
【図２】有孔ブロックの斜視図
【図３】集水装置の施工方法を示す要部の斜視図
【図４】集水装置の施工方法を示す要部の斜視図
【図５】集水装置の施工方法を示す要部の側面図
【図６】別実施形態の集水装置の施工方法を示す要部の側面図
【図７】別実施形態の集水装置の施工方法を示す要部の側面図
【発明を実施するための形態】
【００２１】
図１は、上水・用水・工業用水・生活廃水・工業廃水等などの被処理水に含まれる懸濁物（被除去物）を除去する水処理設備Ｙを示し、この水処理設備Ｙには、被処理水中に含まれる被除去物を処理層１１によって除去する除去手段１０と、この除去手段１０によって懸濁物が除去された処理水を集水する集水装置Ｘが備えられている。
【００２２】
前記処理層１１は、例えば、珪砂・アンスラサイト・粒状活性炭などの粒状媒体１２が充填し、濾過処理によって被処理水中に含まれる被除去物を除去する濾過層として構成されている。本実施形態では、下層側の珪砂層１１ａと上層側のアンスラサイト層１１ｂとの二層の処理層１１を設けてあるが、単層の処理層１１を設けていてもよい。
【００２３】
なお、処理層１１は、生物処理によって被処理水中に含まれる被除去物を除去するものであってもよい。この場合は、処理層１１は生物処理層となり、例えば粒状媒体１２の表面に被除去物を生物的に分解する微生物を担持させておく。
【００２４】
つまり、前記除去手段１０は、被処理水を除去手段１０の上方（例えば、排水トラフ５０）から処理層１１に給水して処理層１１を通過させることで、被処理水中に含まれる被除去物が処理層１１によって除去する。
【００２５】
前記集水装置Ｘには、粒状媒体１２を充填した処理層１１の上方より下向流で被処理水を通水して被処理水中に含まれる被除去物を処理層１１によって除去する除去手段１０を支持し、処理層１１を通過して被除去物が除去された処理水を中空の内部空間に集水する複数の有孔ブロック２０を導水方向に沿って接続してなる複数の有孔ブロック列ＢＬが備えられている。
【００２６】
また、集水装置Ｘには、有孔ブロック列ＢＬと設置面Ｇとの間に位置して有孔ブロック列ＢＬのレベルを調整する枕部材（支持材）１１０と、各有孔ブロック列ＢＬの間に充填して各有孔ブロック列ＢＬを固定する固化性の充填材３０とが備えられている。なお、充填材３０中には、補強部材（図示せず）が配設してある。
【００２７】
前記有孔ブロック２０は、除去手段１０の下方に配置して除去手段１０を支持する。本実施形態では、除去手段１０と有孔ブロック２０との間には、多孔プレート６０を配設してある。なお、多孔プレート６０に替えて砂利の支持層を設けてもよい。
【００２８】
当該有孔ブロック２０には、図２に示すように、中空で断面が略矩形となる外壁２１（上壁２１ａ・側壁２１ｂ・底壁２１ｃ）、及び、当該外壁２１の内側に接続して有孔ブロック２０の内部空間を複数の空間に分割する内壁（傾斜内壁２２）が備えられている。
【００２９】
前記有孔ブロック２０は、耐食性・耐圧性に優れた材質であれば、何れの材料で形成してもよいが、例えば、高密度ポリエチレンの発泡成形で成形すれば、成形性が良く、また、軽量化することができるため、運搬や施工面で作業性がよい。
【００３０】
上壁２１ａは、除去手段１０の下面に直接接触して除去手段を直接的に支持する、或いは、多孔プレート６０或いは砂利の支持層を介して間接的に除去手段１０を支持する。側壁２１ｂは上壁２１ａに接続する一対の対向する壁であり、底壁２１ｃは当該一対の側壁２１ｂの下端に接続する壁である。
【００３１】
前記傾斜内壁２２は、有孔ブロック２０の内部空間を両側方に位置する側方流通部Ｂ（導水路の一例）と、これら側方流通部Ｂの間に位置する中央流通部Ａ（導水路の一例）とに仕切るように、横断面が略逆Ｖ字形に形成されている。
【００３２】
上壁２１ａの上方空間と側方流通部Ｂとは、上壁２１ａに形成した複数の上壁孔部ａ１（水が流入可能な流入部の一例）を介して連通している。また、一対の側方流通部Ｂと中央流通部Ａは、傾斜内壁２２に形成した複数の内壁孔部ｂ１を介して連通している。
【００３３】
処理層１１を通過して被除去物が除去された処理水は、重力の作用により、多孔プレート６０或いは砂利の支持層を通過した後に上壁孔部ａ１を介して側方流通部Ｂに流下し、更に、内壁孔部ｂ１を介して中央流通部Ａに流下して集水される。
【００３４】
処理水は、有孔ブロック２０の底壁２１ｃに形成した底壁開口部（図外）を経て有孔ブロック２０の下方に設けたフリューム７０を流下して、或いは、中央流通部Ａに接続する配管（図外）を流下して、所定の貯水槽に搬送される。
【００３５】
上壁２１ａの上面には、側壁２１ｂから延設する上壁第一リブ部２３ａ、上壁第一リブ部２３ａに平行な上壁第二リブ部２３ｂ、および、上壁第一リブ部２３ａと垂直に交差する上壁第三リブ部２３ｃが設けられている。
【００３６】
これらリブ部２３ａ〜２３ｃによって、上壁２１ａの上面を複数の区画に分割してある。これらリブ部２３ａ〜２３ｃを設けることで上壁２１ａの耐圧性を強化することができ、除去手段１０の荷重による上壁２１ａの撓みを防止できる。
【００３７】
多孔プレート６０は、前記リブ部２３ａ〜２３ｃの上面に載置される。多孔プレート６０は、ボルトやタッピンネジによって前記リブ部２３ａ〜２３ｃに固定する。多孔プレート６０は、例えば、直径数ｍｍのペレットを多数接合して構成するとよい。当該ペレットとしては、ポリオレフィン等のプラスチックの他、セラミック、焼結金属等が使用可能である。
【００３８】
側壁２１ｂには、複数の有孔ブロック２０を並置する際に、各有孔ブロック２０の間に充填した充填材３０に、有孔ブロック２０が受けた上方及び下方からの荷重を伝達する側方リブ２４を形成してある。
【００３９】
側方リブ２４は、水平方向に伸延する水平側方リブ２４Ａ、及び、垂直方向に伸延する垂直側方リブ２４Ｂとすることができる。何れのリブ形状であっても、その上端面２４ａによって有孔ブロック２０が受けた上向荷重を充填材３０に伝達し、その下端面２４ｂによって有孔ブロック２０が受けた下向荷重を充填材３０に伝達する。
【００４０】
図２、図４に示すように、前記有孔ブロック２０は、同じ向きの複数個を接続連結可能なように、一端部２０Ａに受け口部９０（被挿入部の一例）が、他端部２０Ｂに受け口部９０よりも小形の差込み部（挿入部の一例）８０が形成されている。
【００４１】
この有孔ブロック２０は、複数個を同じ向きとし、当該有孔ブロックの受け口部９０に別の有孔ブロック２０の差込み部８０を差し込むことで、複数個を嵌合接続し、前記有孔ブロック列ＢＬを形成し得るように構成されている。
【００４２】
前記充填材３０は、複数の有孔ブロック列ＢＬを並列状態で配設する際に、側方流通部Ｂおよび中央流通部Ａの軸芯方向と直交する方向に隣接する有孔ブロック２０の間に充填するものであり、モルタルやコンクリート等、間隙等に流動状態で投入した後、経時的に固化する態様のものであれば、公知の充填材を使用することができる。
【００４３】
固化した充填材３０は、並置した有孔ブロック２０の間隙を埋めると共に、各有孔ブロック２０どうしを強固に接着して固定することで、有孔ブロック２０の上方に載置した除去手段１０の安定的な支持状態を現出する。
【００４４】
前記枕部材１１０は、水処理設備Ｙの底盤を構成する設置面Ｇに対して有孔ブロック列ＢＬを設置するに当たり、有孔ブロック列ＢＬのレベル（高さ位置）を所定値に調整するためのレベル調整部材である。
【００４５】
この枕部材１１０は、図１、図３、図４に示すように、有孔ブロック列ＢＬの横断方向に沿って延びる断面長方形状の帯状に構成され、有孔ブロック列ＢＬを構成する有孔ブロック２０どうしの接続位置毎となる所定ピッチ（本例では有孔ブロック２０の長さ寸法）で分散配置されている。
【００４６】
上述の如く構成された集水装置は、以下の（ア）〜（エ）の各工程（図３〜図５参照）を経て構築される。
【００４７】
（ア）枕部材配置工程
水処理設備Ｙの底盤を構成する設置面Ｇに対して、複数の有孔ブロック列ＢＬの並置予定箇所の全域を対象とし、有孔ブロック列ＢＬの横断方向に沿って延びる複数の枕部材１１０を、有孔ブロック２０の長さ寸法に対応する所定ピッチ毎に位置する状態（有孔ブロック列ＢＬの延設方向の複数箇所に分散する状態の一例）で配置する。
【００４８】
具体的には、各枕部材１１０を、有孔ブロック２０どうしの接続位置Ｋの近傍位置（接続位置Ｋ又はその近傍位置の一例）として、各有孔ブロック２０の受け口部８０側の端部２０Ａの配置位置に配置する。つまり、各枕部材１１０の配置位置を、有孔ブロック２０どうしの接続位置Ｋの近傍位置（接続位置又はその近傍位置の一例）として、各有孔ブロック２０の受け口部８０側の端部２０Ａの配置位置に設定する。
【００４９】
なお、有孔ブロック２０どうし接続位置Ｋの近傍位置とは、接続位置Ｋから前後に位置ズレするものの、有孔ブロック２０どうしの接続位置Ｋからの離れ寸法が有孔ブロック２０の全長Ｌの約１／３（本例では４００ｍｍ）以内となる位置とし、本例では、有孔ブロック２０どうしの接続位置Ｋから前後方向で約２００ｍｍ離れた位置に枕部材１１０を配置する。
【００５０】
各枕部材１１０は、設置面Ｇにおける枕部材設置予定箇所の両側に木材等からなる長尺の型材（図示省略）を並置し、それら型材どうしの間に上面レベルを確認しながらモルタルを流し込み、モルタルが固化した後に型材を撤去することで、断面長方形状で所定レベルの上面を有した帯状に形成する。
【００５１】
（イ）有孔ブロック列配置工程
各有孔ブロック２０の受け口部８０側の端部２０Ａを各枕部材１１０に支持させる状態で各有孔ブロック２０を設置面Ｇ上で接続・配置し、枕部材１１０を介して複数の有孔ブロック列ＢＬを所定レベルで設置面Ｇに並列状態で配置する。
【００５２】
（ウ）変位規制部材配置工程
設置面Ｇに並列状態で配置された複数の有孔ブロック列ＢＬに対して、変位規制部材１２０を、有孔ブロック列ＢＬの横断方向に沿って複数の有孔ブロック列ＢＬの上面に亘る姿勢で有孔ブロック列ＢＬの上面に配置する。本例では、変位規制部材１２０は、長尺の管材から構成されている。
【００５３】
変位規制部材１２０は、設置面Ｇにおける各有孔ブロック列ＢＬの両脇に貫設したアンカー部材１３０の各々と、それに対応位置する変位規制部材１２０の対応部位の各々とを番線１４０（連結材の一例）により連結することで、変位規制部材１２０を番線１４０で下方に引き寄せ拘束する状態で、換言すれば、変位規制部材１２０により有孔ブロック列ＢＬを下向きに押圧作用させる状態で配置する。なお、前記アンカー部材１３０は、例えば、上端に係止孔部１３０ａが形成されたアイボルトから構成されている。
【００５４】
変位規制部材１２０は、有孔ブロック２０の長さ寸法に対応する所定ピッチ毎に位置する状態（有孔ブロック列ＢＬの延設方向の複数箇所に分散する状態の一例）で配置する。
【００５５】
具体的には、各変位規制部材１２０は、有孔ブロック列ＢＬにおける有孔ブロック２０どうしの接続位置Ｋの近傍位置として、各有孔ブロック２０の受け口部８０側の端部２０Ａに配置する。つまり、各変位規制部材１２０の配置位置を、有孔ブロック２０どうしの接続位置Ｋの近傍位置（接続位置又はその近傍位置の一例）として、各有孔ブロック２０の受け口部８０側の端部２０Ａの配置位置に設定する。
【００５６】
なお、本例では、有孔ブロック２０どうしの接続位置Ｋから前後方向で約１００ｍｍ離れた位置に変位規制部材１２０を配置する。
【００５７】
（エ）充填材充填工程・変位規制部材撤去工程
複数の変位規制部材１２０を配置した後、有孔ブロック列ＢＬどうしの間の隙間に充填材３０を充填し、充填材が固化した後に変位規制部材１２０を撤去する。なお、この際、充填材３０を複数段階に分けて充填し、その途中段階で変位規制部材１２０を撤去して番線１４０を有孔ブロック列ＢＬどうしの間の隙間に挿入し、充填材３０で埋設するようにしてもよい。
【００５８】
［別実施形態］
（１）前述の実施形態では、枕部材１１０と変位規制部材１２０の夫々を、有孔ブロック２０どうしの接続位置Ｋの近傍位置に配置する場合を例に示したが、例えば、有孔ブロック２０どうしの接続位置Ｋに配置してもよい。
【００５９】
（２）前述の実施形態では、枕部材１１０と変位規制部材１２０の両方を、各有孔ブロック２０の受け口部８０側の端部２０Ａに配置する場合を例に示したが、例えば、枕部材１１０と変位規制部材１２０の両方を、各有孔ブロック２０の差込み部９０側の端部２０Ｂに配置してもよい。
【００６０】
また、例えば、図６に示すように、枕部材１１０を各有孔ブロック２０の差込み部９０側の端部２０Ｂに、変位規制部材１２０を各有孔ブロック２０の受け口部８０側の端部２０Ａに配置してもよく、或いは、これとは逆に、枕部材１１０を各有孔ブロック２０の受け口部８０側の端部２０Ａに、変位規制部材１２０を各有孔ブロック２０の差込み部９０側の端部２０Ｂに配置してもよい。ただし、変位規制部材１２０を有孔ブロック２０の受け口部８０側の端部２０Ａに設ければ、変位規制部材１２０の配置に伴う下向きの押圧力によって受け口部８０の下面をそれに差込み接続された差込み部９０の上面に押し付ける閉じ勝手の状態にし、受け口部８０の下面と差込み部９０の上面との対向面間に隙間が生じるのを抑止し得ることから、枕部材１１０を各有孔ブロック２０の差込み部９０側の端部２０Ｂに、変位規制部材１２を各有孔ブロック２０の受け口部８０側の端部２０Ａに配置する方が望ましい。
【００６１】
また、例えば、図７に示すように、枕部材１１０と変位規制部材１２０を、一つの有孔ブロック２０の両端部２０Ａ、２０Ｂに配置することで、枕部材１１０と変位規制部材１２０が配置された有孔ブロック２０と、枕部材１１０と変位規制部材１２０が配置されていない有孔ブロック２０が有孔ブロック列ＢＬの延設方向に沿って交互に並ぶようにしてもよい。
【００６２】
（３）前述の実施形態では、変位規制部材１２０を、有孔ブロック列ＢＬの複数列の上面に位置する状態で配置する場合を例に示したが、有孔ブロック列ＢＬの一列だけの上面に位置する状態で配置してもよい。
【００６３】
（４）前述の実施形態では、枕部材１１０を、有孔ブロック列ＢＬの複数列を支持する状態で配置する場合を例に示したが、有孔ブロック列ＢＬの一列だけを支持する状態で配置してもよい。
【産業上の利用可能性】
【００６４】
本発明は、上水・用水・工業用水・生活廃水・工業廃水等などの被処理水を処理する
水処理設備の集水装置に限らず、各種の設備に設けられる各種の集水装置の構築に好適に利用することができる。
【符号の説明】
【００６５】
ａ１            流入部
Ａ、Ｂ          導水路
２０            有孔ブロック
ＢＬ            有孔ブロック列
Ｇ              設置面
Ｘ              集水装置
１１０          枕部材
１２０          変位規制部材
３０            充填材
２０Ａ、２０Ｂ  端部
９０            受け口部
８０            差込み部
【図１】
2014198964.tif 000003
【図２】
2014198964.tif 000004
【図３】
2014198964.tif 000005
【図４】
2014198964.tif 000006
【図５】
2014198964.tif 000007
【図６】
2014198964.tif 000008
【図７】
2014198964.tif 000009